【事件の表示】
　特願２０１８−５２６８９４「ハンドオーバのためのリソース構成方法、ネットワークアクセスポイント及び移動局」拒絶査定不服審判事件〔平成２９年　８月１０日国際公開、ＷＯ２０１７／１３３０６３、平成３１年　３月２２日国内公表、特表２０１９−５０７９６６、請求項の数（２６）〕について、次のとおり審決する。
【結　論】
　原査定を取り消す。
　本願の発明は、特許すべきものとする。
【理　由】
第１　手続の経緯
　本願は、２０１６年（平成２８年）３月２４日（パリ条約による優先権主張外国庁受理　２０１６年２月５日　中華人民共和国）を国際出願日とする出願であって、その手続の経緯は以下のとおりである。
平成３０年　８月　７日　　：手続補正書の提出
平成３１年　３月２２日　　：手続補正書の提出
令和　２年　１月３０日付け：拒絶理由通知書
令和　２年　３月２５日　　：意見書、手続補正書の提出
令和　２年　９月２８日付け：拒絶査定
令和　３年　１月　８日　　：拒絶査定不服審判の請求、手続補正書の提出
第２　原査定の概要
　原査定（令和２年９月２８日付け拒絶査定）の概要は次のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）：この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　　　　　　　記　（引用文献等については引用文献等一覧参照）
理由１（新規性）、理由２（進歩性）について
・請求項１、２、４ないし１２、１４ないし１６、１８ないし２６、２８に対して、引用文献１
理由２（進歩性）について
・請求項３、１７に対して、引用文献１及び２
・請求項１３、２７に対して、引用文献１及び３
引用文献等一覧
１．米国特許出願公開第２０１３／００２８２３６号明細書（以下、「引用文献１」という。）
２．米国特許出願公開第２００４／００５８６７８号明細書（以下、「引用文献２」という。）
３．特表２０１２−５３１１２８号公報（以下、「引用文献３」という。）
第３　本願発明
　本願請求項１ないし２６に係る発明（以下、それぞれ「本願発明１」ないし「本願発明２６」という。）は、令和３年１月８日にされた手続補正により補正された特許請求の範囲の請求項１ないし２６に記載された事項により特定される発明であり、以下のとおりの発明である。
「　【請求項１】
　ハンドオーバのためのリソース構成方法であって、
　第１ネットワークノードは、第２ネットワークノードとの間のハンドオーバリソースプール構成情報を確定することと、
　移動局が前記第１ネットワークノードにアクセスするときに、前記第１ネットワークノードは、前記ハンドオーバリソースプール構成情報を前記移動局に送信することと、
　前記第１ネットワークノードは、前記移動局に第１指示情報を送信することと、
　前記第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得することとを含み、
　前記第１指示情報が、前記移動局がハンドオーバリソースプール内のハンドオーバリソースを使用して通信を行うことを指示するために用いられる、前記ハンドオーバのためのリソース構成方法。
　　【請求項２】
　前記第１ネットワークノードは、第２ネットワークノードとの間のハンドオーバリソースプール構成情報を確定することは、
　前記第１ネットワークノードは、前記第１ネットワークノードと前記第２ネットワークノードとのインターフェースを介して、前記第２ネットワークノードと協調し、前記ハンドオーバリソースプール構成情報を確定することを含み、
　前記ハンドオーバリソースプールにおける前記ハンドオーバリソースの構成情報は、
　物理時間周波数リソースブロックの位置情報、変調符号化方式情報、基準信号の構成情報、アンテナ構成情報のうちの少なくとも１つを含む、
　請求項１に記載のハンドオーバのためのリソース構成方法。
　　【請求項３】
　前記第１ネットワークノードは、前記移動局に第１指示情報を送信することは、
　前記移動局が間もなく前記第１ネットワークノードから前記第２ネットワークノードにハンドオーバすることが確定された場合、前記移動局に前記第１指示情報を送信することを含み、
　前記移動局に第１指示情報を送信する前に、前記ハンドオーバのためのリソース構成方法は、さらに、
　前記移動局の移動軌跡に基づいて、前記移動局が間もなく前記第１ネットワークノードから前記第２ネットワークノードにハンドオーバするかどうかを判断すること、又は、
　前記移動局によりフィードバックされた測定信号の強度に基づいて、前記移動局が間もなく前記第１ネットワークノードから前記第２ネットワークノードにハンドオーバするかどうかを判断すること、又は、
　前記移動局の移動軌跡と移動速度に基づいて、前記移動局が間もなく前記第１ネットワークノードから前記第２ネットワークノードにハンドオーバするかどうかを判断することを含む、
　請求項１〜２のいずれか１項に記載のハンドオーバのためのリソース構成方法。
　　【請求項４】
　前記ハンドオーバリソースプール構成情報を前記移動局に送信することは、
　システム情報ブロードキャストによって、前記ハンドオーバリソースプール構成情報を前記移動局に送信すること、又は、
　制御シグナリングによって、前記ハンドオーバリソースプール構成情報を前記移動局に送信することを含み、
　前記第１指示情報は、物理層制御シグナリングのリザーブ情報ビットによって示され、又は、
　前記第１指示情報は、割り当てた新しい無線ネットワーク一時識別子（ＲＮＴＩ）によって示され、又は、
　前記第１指示情報は、新しい物理層制御シグナリングフォーマットによって示される、
　請求項１〜３のいずれか１項に記載のハンドオーバのためのリソース構成方法。
　　【請求項５】
　前記ハンドオーバのためのリソース構成方法は、さらに、
　前記第１ネットワークノードは、少なくとも１つの他のネットワークノードと協調し、
前記移動局が前記ハンドオーバリソースを使用して送信した前記アップリンクデータを受信することを含む、
　請求項１〜４のいずれか１項に記載のハンドオーバのためのリソース構成方法。
　　【請求項６】
　前記第１ネットワークノードと前記少なくとも１つの他のネットワークノードとは、全く同じ又は全く異なる物理リソース構成情報を使用して、前記移動局が前記ハンドオーバリソースを使用して送信した前記アップリンクデータを受信し、
　前記少なくとも１つの他のネットワークノードは、前記第２ネットワークノードを含む、
　請求項５に記載のハンドオーバのためのリソース構成方法。
　　【請求項７】
　前記ハンドオーバのためのリソース構成方法は、さらに、
　前記第１ネットワークノードは前記移動局にダウンリンクデータを送信することを含み、
　前記移動局にダウンリンクデータを送信することは、
　前記第１ネットワークノードは、少なくとも１つの他のネットワークノードと協調し、前記移動局に前記ダウンリンクデータを送信することを含み、
　前記第１ネットワークノードと前記少なくとも１つの他のネットワークノードは、全く同じ又は全く異なる物理リソース構成情報を使用して、前記移動局に前記ダウンリンクデータを送信する、
　請求項１〜６のいずれか１項に記載のハンドオーバのためのリソース構成方法。
　　【請求項８】
　前記第１指示情報は、前記移動局がハンドオーバリソースプールのリソースを利用して、前記第１ネットワークノード及び前記第２ネットワークノードのうちの少なくとも１つと通信するように指示するために用いられる、
　請求項１〜７のいずれか１項に記載のハンドオーバのためのリソース構成方法。
　　【請求項９】
　ハンドオーバのためのリソース構成方法であって、
　移動局が第１ネットワークノードにアクセスするときに、前記移動局は、前記第１ネットワークノードにより送信されたハンドオーバリソースプール構成情報を取得することと、
　前記移動局は、前記第１ネットワークノードにより送信された第１指示情報を受信することと、
　前記移動局は、前記第１指示情報に従って、ハンドオーバリソースを使用して前記第１ネットワークノード、第２ネットワークノード、他の移動局のうちの少なくとも１つと通信することとを含み、
　前記第１指示情報が、前記移動局がハンドオーバリソースプール内のハンドオーバリソースを使用することを指示するために用いられ、
　前記第１ネットワークノード、第２ネットワークノード、他の移動局のうちの少なくとも１つと通信することは、
　前記移動局が前記ハンドオーバリソースを使用して前記第１ネットワークノードに複数の同じアップリンクデータパケットを送信することにより、前記第１ネットワークノードが、その中の１つのアップリンクデータパケットをアップリンク受信データパケットとして確定し、該アップリンク受信データパケット内のアップリンクデータを取得することを含む、前記ハンドオーバのためのリソース構成方法。
　　【請求項１０】
　前記ハンドオーバリソースプール構成情報は、前記第１ネットワークノードによりシステム情報ブロードキャストで送信され、又は、
　前記ハンドオーバリソースプール構成情報は、前記第１ネットワークノードにより制御シグナリングで送信される、
　請求項９に記載のハンドオーバのためのリソース構成方法。
　　【請求項１１】
　前記第１指示情報は、物理層制御シグナリングのリザーブ情報ビットによって示され、又は、
　前記第１指示情報は、割り当てた新しい無線ネットワーク一時識別子（ＲＮＴＩ）によって示され、又は、
　前記第１指示情報は、新しい物理層制御シグナリングフォーマットによって示される
　請求項９〜１０のいずれか１項に記載のハンドオーバのためのリソース構成方法。
　　【請求項１２】
　前記移動局は、前記アップリンクデータが前記第１ネットワークノード及び前記第２ネットワークノードに同時に到達するように、前記ハンドオーバリソースを使用して、所定のサイクリックプレフィックス（ＣＰ）値で前記アップリンクデータを送信することを含み、
　ここで、前記所定のＣＰ値が固定の閾値より大きい、
　請求項９〜１１のいずれか１項に記載のハンドオーバのためのリソース構成方法。
　　【請求項１３】
　前記ハンドオーバリソースプールにおける前記ハンドオーバリソースの構成情報は、
　物理時間周波数リソースブロックの位置情報、変調符号化方式情報、基準信号の構成情報、アンテナ構成情報のうちの少なくとも１つを含む、
　請求項９〜１２のいずれか１項に記載のハンドオーバのためのリソース構成方法。
　　【請求項１４】
　ネットワークノードであって、
　前記ネットワークノードは、第１ネットワークノードであり、確定ユニット、送信ユニット及び受信ユニットを含み、__
　前記確定ユニットは、第２ネットワークノードとの間のハンドオーバリソースプール構成情報を確定するように構成され、
　前記送信ユニットは、移動局が前記第１ネットワークノードにアクセスするときに、前記確定ユニットにより確定された前記ハンドオーバリソースプール構成情報を前記移動局に送信するように構成され、
　前記受信ユニットは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得するように構成され、
　前記送信ユニットは、さらに、前記移動局に第１指示情報を送信するように構成され、
　前記第１指示情報が、前記移動局が前記ハンドオーバリソースプール内のハンドオーバリソースを使用して通信を行うことを指示するために用いられる、前記ネットワークノード。
　　【請求項１５】
　前記確定ユニットは、具体的に、
　前記第１ネットワークノードと前記第２ネットワークノードとのインターフェースを介して、前記第２ネットワークノードと協調し、前記ハンドオーバリソースプール構成情報を確定するように構成され、
　前記ハンドオーバリソースプールにおける前記ハンドオーバリソースの構成情報は、
　物理時間周波数リソースブロックの位置情報、変調符号化方式情報、基準信号の構成情報、アンテナ構成情報のうちの少なくとも１つを含む、
　請求項１４に記載のネットワークノード。
　　【請求項１６】
　前記送信ユニットは、具体的に、
　前記移動局が間もなく前記第１ネットワークノードから前記第２ネットワークノードにハンドオーバすることが確定された場合、前記移動局に前記第１指示情報を送信するように構成され、
　前記確定ユニットは、さらに、
　前記移動局の移動軌跡に基づいて、前記移動局が間もなく前記第１ネットワークノードから前記第２ネットワークノードにハンドオーバするかどうかを判断し、又は、
　前記移動局によりフィードバックされた測定信号の強度に基づいて、前記移動局が間もなく前記第１ネットワークノードから前記第２ネットワークノードにハンドオーバするかどうかを判断し、又は、
　前記移動局の移動軌跡と移動速度に基づいて、前記移動局が間もなく前記第１ネットワークノードから前記第２ネットワークノードにハンドオーバするかどうかを判断するように構成される
　請求項１４〜１５のいずれか１項に記載のネットワークノード。
　　【請求項１７】
　前記送信ユニットは、具体的に、
　システム情報ブロードキャストによって、前記ハンドオーバリソースプール構成情報を前記移動局に送信し、又は、
　制御シグナリングによって、前記ハンドオーバリソースプール構成情報を前記移動局に送信するように構成され、
　前記第１指示情報は、物理層制御シグナリングのリザーブ情報ビットによって示され、
又は、
　前記第１指示情報は、割り当てた新しい無線ネットワーク一時識別子（ＲＮＴＩ）によって示され、又は、
　前記第１指示情報は、新しい物理層制御シグナリングフォーマットによって示される、
　請求項１４〜１６のいずれか１項に記載のネットワークノード。
　　【請求項１８】
　前記受信ユニットは、さらに、
　少なくとも１つの他のネットワークノードと協調し、前記移動局により前記ハンドオーバリソースで送信された前記アップリンクデータを受信するように構成される
　請求項１４〜１７のいずれか１項に記載のネットワークノード。
　　【請求項１９】
　前記受信ユニットは、具体的に、
　前記第１ネットワークノードと前記少なくとも１つの他のネットワークノードは、全く同じ又は全く異なる物理リソース構成情報を使用して、前記移動局が前記ハンドオーバリソースを使用して送信した前記アップリンクデータを受信するように構成され、
　前記少なくとも１つの他のネットワークノードは、前記第２ネットワークノードを含む、
　請求項１８に記載のネットワークノード。
　　【請求項２０】
　前記送信ユニットは、さらに、
　前記移動局にダウンリンクデータを送信するように構成され、
　前記送信ユニットは、具体的に、
　少なくとも１つの他のネットワークノードと協調し、前記移動局に前記ダウンリンクデータを送信するように構成され、
　前記送信ユニットは、具体的に、
　前記第１ネットワークノードと前記少なくとも１つの他のネットワークノードに全く同じ又は全く異なる物理リソース構成情報を使用して、前記移動局に前記ダウンリンクデータを送信するように構成される、
　請求項１４〜１９のいずれか１項に記載のネットワークノード。
　　【請求項２１】
　前記第１指示情報は、前記移動局がハンドオーバリソースプールのリソースを利用して、前記第１ネットワークノード及び前記第２ネットワークノードのうちの少なくとも１つと通信するように指示するために用いられる、
　請求項１４〜２０のいずれか１項に記載のハンドオーバのためのネットワークノード。
　　【請求項２２】
　移動局であって、
　前記移動局が第１ネットワークノードにアクセスするときに、前記第１ネットワークノードにより送信されたハンドオーバリソースプール構成情報を取得するように構成される取得ユニットと、
　前記第１ネットワークノードにより送信された第１指示情報を受信するように構成される受信ユニットと、
　前記受信ユニットにより受信された前記第１指示情報に従って、ハンドオーバリソースを使用して、前記第１ネットワークノード、第２ネットワークノード、他の移動局のうちの少なくとも１つと通信するように構成される通信ユニットとを含み、
　前記第１指示情報が、前記移動局が前記取得ユニットにより取得されたハンドオーバリソースプール内のハンドオーバリソースを使用することを指示するために用いられ、
　前記通信ユニットは、具体的に、前記前記ハンドオーバリソースを使用して前記第１ネットワークノードに複数の同じアップリンクデータパケットを送信することにより、前記第１ネットワークノードが、その中の１つのアップリンクデータパケットをアップリンク受信データパケットとして確定し、該アップリンク受信データパケット内のアップリンクデータを取得するように構成される、前記移動局。
　　【請求項２３】
　前記ハンドオーバリソースプール構成情報は、前記第１ネットワークノードがシステム情報ブロードキャストによって送信され、
　又は、
　前記ハンドオーバリソースプール構成情報は、前記第１ネットワークノードが制御シグナリングによって送信される
　請求項２２に記載の移動局。
　　【請求項２４】
　前記第１指示情報は、物理層制御シグナリングのリザーブ情報ビットによって示され、又は、
　前記第１指示情報は、割り当てた新しい無線ネットワーク一時識別子（ＲＮＴＩ）によって示され、又は、
　前記第１指示情報は、新しい物理層制御シグナリングフォーマットによって示される
　請求項２２〜２３のいずれか１項に記載の移動局。
　　【請求項２５】
　前記通信ユニットは、
　具体的に、
　前記アップリンクデータが前記第１ネットワークノード及び前記第２ネットワークノードに同時に到達するように、前記ハンドオーバリソースを使用して所定のサイクリックプレフィックス（ＣＰ）値で前記アップリンクデータを送信するように構成され、
　ここで、前記所定のＣＰ値は固定の閾値より大きい
　請求項２２〜２４のいずれか１項に記載の移動局。
　　【請求項２６】
　前記ハンドオーバリソースプールにおける前記ハンドオーバリソースの構成情報は、
　物理時間周波数リソースブロックの位置情報、変調符号化方式情報、基準信号の構成情報、アンテナ構成情報のうちの少なくとも１つを含む、
　請求項２２〜２５のいずれか１項に記載の移動局。」
　
第４　引用文献の記載及び引用発明
１　引用文献１について
　原査定の拒絶の理由に引用された、米国特許出願公開第２０１３／００２８２３６号明細書には、以下の事項が記載されている。（下線は当審が付与。）
「[0114] The SeNB may determine whether a handover is allowable based on the handover request ACK message received from the TeNB so as to determine whether to perform the handover (HO Decision; step S620). 
The SeNB may transmit a handover command message to the UE 
 The handover command message may include a CC activation indicator.
Also, the handover command message may include CC allocation information. The CC allocation information may include CC allocation information associated with CCs allocated to the UE, information associated with an amount of allocated resources, information associated with a number of used CCs, bandwidth information of each CC, center frequency information, scheduling information, an antenna port number, and the like.
[0115] 
Subsequently, the UE may recognize information associated with CCs to be used in the TeNB through use of the CC allocation information and a CC activation indicator included in the handover command message, and may configure a predetermined CC and maintain the predetermined CC to be in an activation state.
That is, the UE
 may start a process for connecting with a new cell (the TeNB) 
（当審訳：
［０１１４］ＳｅＮＢは、ＴｅＮＢから受信したハンドオーバ要求ＡＣＫメッセージに基づいて、ハンドオーバが許可されているか否かを判断し、ハンドオーバを実行するか否かを決定してもよい（ＨＯ　Ｄｅｃｉｓｉｏｎ；ステップＳ６２０）。
ＳｅＮＢは、ハンドオーバコマンドメッセージをＵＥに送信してもよい
ハンドオーバコマンドメッセージは、ＣＣ活性化インジケータを含んでもよい。
また、ハンドオーバコマンドメッセージは、ＣＣ割当情報を含んでいてもよい。ＣＣ割当情報は、ＵＥに割り当てられたＣＣに関連するＣＣ割当情報、割り当てられたリソースの量に関連する情報、使用されたＣＣの数に関連する情報、各ＣＣの帯域幅情報、中心周波数情報、スケジューリング情報、アンテナポート番号などを含んでいてもよい。
［０１１５］
その後、ＵＥは、ハンドオーバコマンドメッセージに含まれるＣＣ割当情報とＣＣ活性化インジケータを用いて、ＴｅＮＢで使用されるＣＣに関連する情報を認識し、所定のＣＣを設定して、所定のＣＣを活性化状態に維持してもよい。すなわち、ＵＥは、
新たなセル（ＴｅＮＢ）との接続のための処理を開始してもよい
　上記記載及び当業者の技術常識を考慮すると、次のことがいえる。
ア　上記段落１１４には、「ＳｅＮＢは、ハンドオーバコマンドメッセージをＵＥに送信してもよい・・・ハンドオーバコマンドメッセージは、ＣＣ活性化インジケータを含んでもよい。・・・また、ハンドオーバコマンドメッセージは、ＣＣ割当情報を含んでいてもよい。ＣＣ割当情報は、ＵＥに割り当てられたＣＣに関連するＣＣ割当情報、割り当てられたリソースの量に関連する情報、使用されたＣＣの数に関連する情報、各ＣＣの帯域幅情報、中心周波数情報、スケジューリング情報、アンテナポート番号などを含んでいてもよい。」と記載されているから、引用文献１には、「ＳｅＮＢは、ハンドオーバコマンドメッセージをＵＥに送信するものであって、ハンドオーバコマンドメッセージは、ＣＣ割当情報を含み、前記ＣＣ割当情報は、ＵＥに割り当てられたリソースの量に関連する情報、各ＣＣの帯域幅情報、中心周波数情報、スケジューリング情報、アンテナポート番号などを含む」ことが記載されているといえる。
イ　上記段落１１５には、「ＵＥは、ハンドオーバコマンドメッセージに含まれるＣＣ割当情報とＣＣ活性化インジケータを用いて、ＴｅＮＢで使用されるＣＣに関連する情報を認識し、所定のＣＣを設定して、所定のＣＣを活性化状態に維持してもよい。すなわち、ＵＥは、・・・新たなセル（ＴｅＮＢ）との接続のための処理を開始してもよい」と記載されているから、引用文献１には、「ＵＥは、ハンドオーバコマンドメッセージに含まれるＣＣ割当情報とＣＣ活性化インジケータを用いて、ＴｅＮＢで使用されるＣＣに関連する情報を認識し、所定のＣＣを設定して、ＴｅＮＢとの接続のための処理を開始する」ことが記載されているといえる。
ウ　そして、上記「ア」、「イ」で述べたとおり、引用文献１には、ＳｅＮＢがＵＥに送信したハンドオーバコマンドメッセージに含まれるＣＣ割当情報とＣＣ活性化インジケータを用いて、ＵＥが新たなセル（ＴｅＮＢ）との接続のための処理を行うものであるから、引用文献１には「ハンドオーバを行うための方法」が記載されているといえる。
　以上を総合すると、引用文献１には、以下の発明（以下、「引用発明」という。）が記載されていると認められる。
「　ハンドオーバを行うための方法であって、
　ＳｅＮＢは、ハンドオーバコマンドメッセージをＵＥに送信するものであって、ハンドオーバコマンドメッセージは、ＣＣ割当情報を含み、前記ＣＣ割当情報は、ＵＥに割り当てられたリソースの量に関連する情報、各ＣＣの帯域幅情報、中心周波数情報、スケジューリング情報、アンテナポート番号などを含み、
　前記ＵＥは、前記ハンドオーバコマンドメッセージに含まれる前記ＣＣ割当情報とＣＣ活性化インジケータを用いて、ＴｅＮＢで使用されるＣＣに関連する情報を認識し、所定のＣＣを設定して、前記ＴｅＮＢとの接続のための処理を開始する、
　方法。」
２　引用文献２について
　原査定の拒絶の理由に引用された、米国特許出願公開第２００４／００５８６７８号明細書には、以下の事項が記載されている。（下線は当審が付与。）
「[0038] A handover routine shown in flowchart form illustrates procedures in accordance with one example embodiment in the present invention. 
The on-board radio unit controller 48
Controller 48 may also determine the position, direction, and speed of the vehicle 20 (block 102) and report that information to the radio base station controller 18. The radio base station controller 18 also receives and evaluates signal strength measurements from the mobile stations via the serving base station A (block 104), and uses this measurement information to update the monitor sets and active sets stored in its databases 44 and 46 
[0039] Before handover initiation occurs and 
based on a determination that the vehicles are approaching the target base station B, the on-board radio unit handover preparation controller 50 sends a handover notification message to the target base station B (block 108). The target base station B then reserves resources sufficient to support handover of the active radio connections in the vehicle.
（当審訳：
［００３８］フローチャート形式で示すハンドオーバルーチンは、本発明における一例の実施形態に従った手順を示している。
車載無線ユニットコントローラ４８は、
コントローラ４８はまた、車両２０の位置、方向、および速度を決定し（ブロック１０２）、その情報を無線基地局コントローラ１８に報告してもよい。
［００３９］ハンドオーバ開始が発生する前に、また、
車両がターゲット基地局Ｂに接近しているという判断に基づいて、車載無線ユニットハンドオーバ準備コントローラ５０は、ハンドオーバ通知メッセージをターゲット基地局Ｂに送信する（ブロック１０８）。
　上記段落３８及び３９には、車載無線ユニットコントローラ４８は、車両２０の位置、方向、および速度を決定し、その情報を無線基地局コントローラ１８に報告し、車両がターゲット基地局Ｂに接近しているという判断に基づいて、車載無線ユニットハンドオーバ準備コントローラ５０は、ハンドオーバ通知メッセージをターゲット基地局Ｂに送信すると記載されている。そして、ハンドオーバが行われる対象は車載移動局２８であり、車載移動局は車両に搭載されていることは明らかであるから、車両は移動局であるといえる。
　そうすると、引用文献２には、「基地局、及び移動局は、移動局の位置・速度などを考慮してハンドオーバを行う」という技術事項が記載されていると認められる。
３　引用文献３について
　原査定の拒絶の理由に引用された、特表２０１２−５３１１２８号公報には、以下の事項が記載されている。（下線は当審が付与。）
「【００３３】
　本発明の実施形態での
ＵＬ　ＣｏＭＰ実装に関して、
ＵＥがすべての関係する基地局に対してＵＬ同期を確立する
すべての関係する基地局は、ＵＥに対するその伝播遅延を測定し、伝播遅延の情報を交換し、ＵＥのＵＬ伝送がすべてそのＣＰによってカバーされるように、事前定義されたタイミング・アドバンス・コマンドを生成する。
　上記段落３３には、ＵＬ　ＣｏＭＰ実装に関して、ＵＥがすべての関係する基地局に対してＵＬ同期を確立する際、すべての関係する基地局は、ＵＥに対するその伝播遅延を測定し、伝播遅延の情報を交換し、ＵＥのＵＬ伝送がすべてそのＣＰによってカバーされるように、事前定義されたタイミング・アドバンス・コマンドを生成すると記載されている。そして、ＵＥはＵＬ　ＣｏＭＰですべての関係する基地局とＵＬ同期を確立するのであるから、ＵＥは複数の基地局との間で同期通信を行うものであるといえる。
　そうすると、引用文献３には、「ＵＥは複数の基地局のとの間で同期通信を行う際、ＵＥのＵＬ伝送がすべてそのＣＰによってカバーされるように、タイミング・アドバンス・コマンドを生成する」という技術事項が記載されていると認められる。
第５　対比・判断
１　本願発明１について
（１）対比
　本願発明１と引用発明とを対比すると、以下のことがいえる。
ア　引用発明の「ＳｅＮＢ」は、ソース基地局を意味することは技術常識である。そして、引用発明の「ハンドオーバコマンドメッセージ」は、ＵＥに割り当てられたリソースの量に関連する情報、各ＣＣの帯域幅情報、中心周波数情報、スケジューリング情報、アンテナポート番号などを含むものであって、ＵＥに割り当てられたリソースの量に関連する情報、各ＣＣの帯域幅情報、中心周波数情報、スケジューリング情報、アンテナポート番号は、ハンドオーバを行う際に使用されるリソースを表す情報であるといえる。
　また、これらのＵＥに割り当てられたリソースの量に関連する情報、各ＣＣの帯域幅情報、中心周波数情報、スケジューリング情報、アンテナポート番号は、ハンドオーバを行う際に使用されるリソースを表す情報を含む、ハンドオーバコマンドメッセージを用いて、所定のＣＣを設定して、ＴｅＮＢとの接続のための処理を開始するものであるから、ハンドオーバコマンドメッセージは、ＵＥが、ハンドオーバリソースを使用して（ＴｅＮＢと）通信を行うことを指示するために用いられるメッセージであるといえ、該メッセージは、ＳｅＮＢがＵＥに送信するものであるから、引用発明の「ハンドオーバコマンドメッセージ」は、本願発明１の「第１の指示情報」に相当するといえる。
　さらに、引用発明の「ＳｅＮＢ」は、第１指示情報に相当するハンドオーバコマンドメッセージをＵＥに送信するものであるから、引用発明の「ＳｅＮＢ」は、本願発明１の「第１のネットワークノード」に相当するといえる。
　そうすると、本願発明１と引用発明は、「第１のネットワークノードは、移動局に第１指示情報を送信する」という点で一致し、「第１指示情報が、移動局がハンドオーバリソースを使用して通信を行うことを指示するために用いられる」という点で共通する。
　
イ　上記アに述べたとおり、引用発明のハンドオーバを行うための方法は、ＳｅＮＢからＵＥに送信されるハンドオーバコマンドメッセージが含む、ＵＥに割り当てられたリソースの量に関連する情報、各ＣＣの帯域幅情報、中心周波数情報、スケジューリング情報、アンテナポート番号は、ハンドオーバを行う際に使用されるリソース等を用いて、所定のＣＣを設定して、ＴｅＮＢとの接続のための処理を開始するものであるから、ＵＥがハンドオーバに用いるためのリソース構成方法、すなわち、ハンドオーバのためのリソース構成方法が含まれているといえる。
　そうすると、本願発明１と引用発明は「ハンドオーバのためのリソース構成方法」である点で共通する。
　以上を総合すると、本願発明１と引用発明とは、以下の点で一致し、また、相違している。
　（一致点）
「　ハンドオーバのためのリソース構成方法であって、
　第１のネットワークノードは、移動局に第１指示情報を送信することと、
　前記第１指示情報が、前記移動局がハンドオーバリソースを使用して通信を行うことを指示するために用いられる、
　前記ハンドオーバのためのリソース構成方法。」
（相違点１）
　本願発明１では、「第１ネットワークノードは、第２ネットワークノードとの間のハンドオーバリソースプール構成情報を確定すること」、「移動局が前記第１ネットワークノードにアクセスするときに、前記第１ネットワークノードは、前記ハンドオーバリソースプール構成情報を前記移動局に送信すること」を含むのに対し、引用発明では、当該事項が特定されていない点。
（相違点２）
　本願発明１では、「第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」ものであるのに対し、引用発明では、当該事項が特定されていない点。
（相違点３）
　本願発明１では、第１指示情報において、「移動局がハンドオーバリソースプール内のハンドオーバリソースを使用して通信を行う」ものであるのに対し、引用発明では、ハンドオーバリソースがハンドオーバリソースプール内のハンドオーバリソースであるか特定されていない点。
（２）相違点についての判断
　事案に鑑み、まず、相違点２について検討する。
　相違点２に係る本願発明１の「第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」という発明特定事項は、引用文献１ないし引用文献３には記載も示唆もされていない。また、「第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」という技術事項は、本願優先日前において通信技術分野において周知技術であるともいえない。
　したがって、上記相違点１及び３を判断するまでもなく、本願発明１は、引用発明であるとはいえないし、また、当業者といえども、引用発明において、上記相違点２に係る本願発明１の「第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」という処理を有するものとすることは、引用発明並びに引用文献２及び３に記載の技術事項に基づいて容易に発明をすることができたものであるとはいえない。
　
２．本願発明２ないし８について
　本願発明２ないし８は、本願発明１の発明特定事項を全て含むから、本願発明１と同じ理由により、引用発明であるとはいえないし、当業者であっても、引用発明並びに引用文献２及び３に記載の技術事項に基づいて容易に発明をすることができたものであるとはいえない。
３．本願発明９ないし１３について
　本願発明９いし１３は、移動局側におけるハンドオーバのためのリソース構成方法に関する発明であって、上記１．で説示した相違点に係る本願発明１の発明特定事項と同様な発明特定事項を少なくとも備えるものであるから、本願発明１と同様な理由により、引用発明であるとはいえないし、また、当業者であっても、引用発明並びに引用文献２及び３に記載の技術事項に基づいて容易に発明をすることができたものであるとはいえない。
４．本願発明１４ないし２１について
　本願発明１４ないし２１は、本願発明１ないし８に記載の方法をネットワークノードとして記載したものであって、上記１．で説示した相違点に係る本願発明１の発明特定事項を少なくとも備えるものであるから、本願発明１と同じ理由により、引用発明であるとはいえないし、また、当業者であっても、引用発明並びに引用文献２及び３に記載の技術事項に基いて容易に発明をすることができたものであるとはいえない。
５．本願発明２２ないし２６について
　本願発明２２ないし２６は、本願発明９ないし１３に記載の方法を移動局として記載したものであって、上記１．で説示した相違点に係る本願発明１の発明特定事項と同様な発明特定事項を少なくとも備えるものであるから、本願発明１と同様な理由により、引用発明であるとはいえないし、また、当業者であっても、引用発明並びに引用文献２及び３に記載の技術事項に基づいて容易に発明をすることができたものであるとはいえない。
第６　原査定について
令和３年１月８日にされた手続補正により、本願発明１ないし８は「第１ネットワークノードは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」という発明特定事項を備え、本願発明１４ないし２１は、「受信ユニットは、前記移動局が前記ハンドオーバリソースを使用して送信した複数の同じアップリンクデータパケットを受信し、その中の１つのアップリンクデータパケットをアップリンク受信データパケットとして確定し、該アップリンク受信データパケット内のアップリンクデータを取得する」という発明特定事項を備え、本願発明９ないし１３、２２ないし２６についても、補正後の本願発明１又は１４の発明特定事項と同様な発明特定事項を少なくとも備えるものとなっており、当該発明特定事項は原査定における引用文献１ないし３に記載されておらず、本願優先日前における周知技術でもないので、本願発明１ないし２６は、引用発明ではなく、また、当業者であっても、拒絶査定において引用された引用文献１ないし３に基づいて、容易に発明をすることができたものであるとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。